(57)【要約】【課題】板状線香の燃焼時に立ち消えせず、板状の線香の燃焼に好適に用いることができ、扱いやすさや見栄えのよさも兼ね備えることができる線香支持具を提供する。【解決手段】線香支持具１００は、板状の線香１１における背面１３の２箇所と、表面１５の２箇所と、底面下端縁１７の１箇所とを支持する縦リブ１９及び横リブ４１を有して、線香１１を立てたまま支持するよう構成される。【選択図】図１
2019103786.tif 000002
【特許請求の範囲】
【請求項１】
板状の線香における背面側の底面下端縁および背面の少なくとも何れか２箇所と、表面側の底面下端縁および表面の少なくとも何れか１箇所とを支持する支持部を有して、前記線香を立てたまま支持することを特徴とする線香支持具。
【請求項２】
請求項１に記載の線香支持具であって、
前記支持部が、前記背面の両縁部と、前記底面下端縁の１箇所とを支持することを特徴とする線香支持具。
【請求項３】
請求項１または請求項２に記載の線香支持具であって、
前記支持部以外の前記線香との間には、所定の開口面積を有する空隙が形成されることを特徴とする線香支持具。
【請求項４】
請求項１〜請求項３の何れか１項に記載の線香支持具であって、
底壁の周囲に側壁が起立して形成され、
前記底壁には、前記線香の下部が挿入される凹部が形成され、
前記支持部が、前記凹部の凹部内壁及び凹部底壁に形成されることを特徴とする線香支持具。
【請求項５】
請求項４に記載の線香支持具であって、
前記凹部が、前記底壁の中央に形成されていることを特徴とする線香支持具。
【請求項６】
請求項４に記載の線香支持具であって、
前記凹部が、前記底壁の中央に対して偏芯して形成されていることを特徴とする線香支持具。
【請求項７】
請求項４〜請求項６の何れか１項に記載の線香支持具であって、
前記凹部内壁に、外部から前記凹部に空気を取り込む穴が形成されることを特徴とする線香支持具。
【請求項８】
請求項１に記載の線香支持具であって、
前脚と後脚の間に前記底面下端縁を支持する前記支持部としての谷折部が形成されて側面視略Ｍ字形状となる支持具本体と、
前記谷折部に接続する後部山折部の前側傾斜面における両側に離間して形成された一対の前記支持部と、を備えることを特徴とする線香支持具。
【発明の詳細な説明】
【技術分野】
【０００１】
本発明は、線香支持具に関する。
【背景技術】
【０００２】
従来、棒状や渦巻状の線香（お香やお線香、蚊取線香等）を支持する線香支持具として、線香用支持具（特許文献１）、線香立て（特許文献２、３，７）、香炉（特許文献４）、蚊取線香用燃焼器（特許文献５）、蚊取線香燻煙用受け皿（特許文献６）などが、種々提案されてきた。
【０００３】
また、線香は、鉄、陶器などの線香支持具と直接接触すると熱を奪われ、立ち消えすることがわかっている。よって、例えば従来の受け皿は、グラスウールなどの素材のマットを敷くことで、空気を取り込みやすくし、熱が奪われないようにしている。
【先行技術文献】
【特許文献】
【０００４】
【特許文献１】特開２０００−５１０６１号公報
【特許文献２】特開２００１−３４６４９４号公報
【特許文献３】特開２００５−７６３０４号公報
【特許文献４】特開２００６−２６１３２号公報
【特許文献５】特開２００６−７５０６２号公報
【特許文献６】特開２００９−１００６６８号公報
【特許文献７】特開２０１７−１０４４５７号公報
【発明の概要】
【発明が解決しようとする課題】
【０００５】
ところで、板状の線香を支持する線香支持具の提案は従来なされていなかった。燃焼中の板状の線香が線香支持具と直接接触すると、熱が金属や陶器に奪われ、立ち消えが発生しやすい。
従って、特に、板状の線香を支持する線香支持具は、立ち消えしない構造の開発が必要となる。また、扱いやすさや見栄えのよさも兼ね備える必要がある。
【０００６】
本発明は上記状況に鑑みてなされたもので、その目的は、板状線香の燃焼時に立ち消えせず、板状の線香の燃焼に好適に用いることができ、扱いやすさや見栄えのよさも兼ね備えることができる線香支持具を提供することにある。
【課題を解決するための手段】
【０００７】
本発明に係る上記目的は、下記構成により達成される。
（１）  板状の線香における背面側の底面下端縁および背面の少なくとも何れか２箇所と、表面側の底面下端縁および表面の少なくとも何れか１箇所とを支持する支持部を有して、前記線香を立てたまま支持することを特徴とする線香支持具。
【０００８】
上記（１）の構成の線香支持具によれば、板状の線香が、背面側の底面下端縁および背面の少なくとも何れか２箇所と、表面側の底面下端縁および表面の少なくとも何れか１箇所とを支持する支持部により、立てたまま支持される。線香は、立てられた状態で、上端から下端に向かって燃焼する。板状の線香は、全高に対して、極めて低い部位が、背面側の底面下端縁および背面の少なくとも何れか２箇所と、表面側の底面下端縁および表面の少なくとも何れか１箇所との最低３箇所で支持される。板状の線香は、低い部位を除く全高の殆どが他部材に接触せずに起立する。このため、板状の線香は、他部材への熱伝導により熱が奪われることが抑制され、立ち消えせずに燃焼する。また、殆どが燃焼した板状の線香は、低い部位が最低３箇所で支持される。この３箇所は、点接触若しくは線接触となり、立ち消えの生じない熱量となるように、他部材への熱伝導を抑制する。その結果、線香支持具は、板状の線香を、立ち消えさせずに全て燃焼させることができる。
また、本構成の線香支持具は、板状の線香を立てて支持する支持部が、点接触若しくは線接触の最低３箇所でよいため、構造を設計する上での制約を少なくできる。そのため、線香支持具は、扱いやすさや見栄えのよさを備えたデザインへの設計自由度を高くすることができる。
【０００９】
（２）  上記（１）に記載の線香支持具であって、前記支持部が、前記背面の両縁部と、前記底面下端縁の１箇所とを支持することを特徴とする線香支持具。
【００１０】
上記（２）の構成の線香支持具によれば、板状の線香は、支持部により支持される背面の２箇所が、背面の両縁部となる。つまり、支持部は、背面の２箇所を、板状の線香における幅方向の最大長で支持できる。これにより、支持部は、上部が未燃焼の高背の板状の線香を、低い部位の支持のみで安定して支持できる。
【００１１】
（３）  上記（１）または（２）に記載の線香支持具であって、前記支持部以外の前記線香との間には、所定の開口面積を有する空隙が形成されることを特徴とする線香支持具。
【００１２】
上記（３）の構成の線香支持具によれば、板状の線香は、支持部の接触する部位以外の周囲が、所定の開口面積を有する空隙により包囲される。その結果、線香支持具は、板状の線香の燃焼部分に対し、良好な燃焼に必要な空気量の供給が可能となる。換言すれば、所定の開口面積の空隙とは、燃焼部分に対して良好な燃焼に必要な空気量が供給できる通気路の断面積を有した隙間である。従って、所定の開口面積の空隙は、良好な燃焼に必要な空気量の供給を阻害する大きさでは形成されない。
【００１３】
（４）  上記（１）〜（３）の何れか１つに記載の線香支持具であって、底壁の周囲に側壁が起立して形成され、前記底壁には、前記線香の下部が挿入される凹部が形成され、前記支持部が、前記凹部の凹部内壁及び凹部底壁に形成されることを特徴とする線香支持具。
【００１４】
上記（４）の構成の線香支持具によれば、板状の線香の下部（低い部位）が、底壁に形成された凹部により支持される。線香支持具は、複数の凹凸で形成される支持部が、凹部に集約されることにより、スッキリとした見栄えのよい外観に形成が可能となる。
【００１５】
（５）  上記（４）に記載の線香支持具であって、前記凹部が、前記底壁の中央に形成されていることを特徴とする線香支持具。
【００１６】
上記（５）の構成の線香支持具によれば、凹部が、中央に位置することにより、線香支持具の前向き、後向きをなくし（前後使いが共用となり）、使い勝手をよくすることができる。
【００１７】
（６）  上記（４）に記載の線香支持具であって、前記凹部が、前記底壁の中央に対して偏芯して形成されていることを特徴とする線香支持具。
【００１８】
上記（６）の構成の線香支持具によれば、凹部が、底壁の中央に対して偏芯して設けられることにより、底壁において片寄せられて配置される。そこで、線香支持具は、凹部が設けられた反対側の底壁を、線香の燃焼によって発生した灰の落下面とすることができる。これにより、線香支持具は、底壁の面積が小さい場合であっても、灰を効率よく底壁に収容でき、灰を周囲にこぼすことがない。
【００１９】
（７）  上記（４）〜（６）の何れか１つに記載の線香支持具であって、前記凹部内壁に、外部から前記凹部に空気を取り込む穴が形成されることを特徴とする線香支持具。
【００２０】
上記（７）の構成の線香支持具によれば、板状の線香が底壁よりも窪んだ凹部で支持される構造であっても、凹部内壁を貫通した穴により、凹部内に外部からの空気を燃焼部分よりも下側から流入させることができる。これにより、線香は、十分な空気量が低い部位へも供給され、立ち消えせずにより確実に燃焼する。
【００２１】
（８）  上記（１）に記載の線香支持具であって、前脚と後脚の間に前記底面下端縁を支持する前記支持部としての谷折部が形成されて側面視略Ｍ字形状となる支持具本体と、前記谷折部に接続する後部山折部の前側傾斜面における両側に離間して形成された一対の前記支持部と、を備えることを特徴とする線香支持具。
【００２２】
上記（８）の構成の線香支持具によれば、支持具本体が、側面視略Ｍ字形状で形成される。側面視略Ｍ字形状の支持具本体は、前脚と後脚との間に、前部山折部と後部山折部とに挟まれて谷折部が形成される。従って、板状の線香は、底面下端縁が谷折部に支持され、背面が後部山折部の前側傾斜面に突設された一対（２箇所）の支持部に支持されて、立て掛けられる。本構成の線香支持具は、皿形状とは異なる斬新なデザインとして、見栄えをよくできる。また、本構成の線香支持具は、形状が簡素であるので、製造が容易となる。また、小型、軽量にできる。更に、陶器或いは金属を用いても容易に製造できるので、材質の選択自由度を高めることができる。
【発明の効果】
【００２３】
本発明に係る線香支持具によれば、板状線香の燃焼時に立ち消えせず、板状の線香の燃焼に好適に用いることができ、扱いやすさや見栄えのよさも兼ね備えることができる。
【００２４】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２５】
【図１】（ａ）は本発明の第１実施形態に係る線香支持具が板状の線香を支持した状態の斜視図、（ｂ）は（ａ）に図示した線香支持具をＡ−Ａ面で切り欠いた斜視図である。
【図２】図１のＡ−Ａ断面図である。
【図３】図１のＢ−Ｂ断面図である。
【図４】図１に示した線香支持具の平面図である。
【図５】（ａ）は本発明の第２実施形態に係る線香支持具の一部分を切り欠いた斜視図、（ｂ）は（ａ）に図示した線香支持具が板状の線香を支持した状態の斜視図である。
【図６】図５に図示した線香支持具の平面図である。
【図７】（ａ）は本発明の第３実施形態に係る線香支持具が板状の線香を支持した状態の斜視図、（ｂ）は（ａ）に図示した線香支持具の平面図、（ｃ）は（ｂ）に図示した線香支持具が板状の線香を支持した状態を示すＣ−Ｃ断面図である。
【図８】（ａ）は本発明の第４実施形態に係る線香支持具が板状の線香を支持した状態の斜視図、（ｂ）は（ａ）に図示した線香支持具の斜視図である。
【図９】（ａ）は図８に示した線香支持具の平面図、（ｂ）は（ａ）に図示した線香支持具のＤ−Ｄ断面図、（ｃ）は（ａ）に図示した線香支持具の正面図である。
【図１０】（ａ）は本発明の第５実施形態に係る線香支持具が板状の線香を支持した状態の斜視図、（ｂ）は（ａ）に図示した線香支持具をＥ−Ｅ面で切り欠いた斜視図である。
【図１１】図１０に図示した線香支持具の平面図である。
【図１２】本発明の第６実施形態に係る線香支持具の斜視図である。
【図１３】（ａ）は図１２に図示した線香支持具が板状の線香を支持した状態の平面図、（ｂ）は（ａ）の正面図、（ｃ）は（ｂ）の側面図である。
【図１４】（ａ）は本発明の第７実施形態に係る線香支持具が板状の線香を支持した状態の斜視図、（ｂ）は（ａ）に図示した線香支持具の斜視図である。
【図１５】（ａ）は図１４の（ｂ）に図示した線香支持具の平面図、（ｂ）は図１４の（ａ）のＥ−Ｅ断面図である。
【発明を実施するための形態】
【００２６】
以下、本発明に係る実施形態を図面を参照して説明する。
［第１実施形態］
先ず、本発明の第１実施形態を説明する。
図１の（ａ）は本発明の第１実施形態に係る線香支持具１００が板状の線香１１を支持した状態の斜視図、図１の（ｂ）は図１の（ａ）に図示した線香支持具１００をＡ−Ａ面で切り欠いた斜視図、図２は図１のＡ−Ａ断面図、図３は図１のＢ−Ｂ断面図、図４は図１に示した線香支持具１００の平面図である。
本第１実施形態に係る線香支持具１００は、板状の線香１１における背面側の底面下端縁１７および背面１３の少なくとも何れか２箇所と、表面側の底面下端縁１７および表面１５の少なくとも何れか１箇所とを支持する支持部である複数の縦リブ１９を有して、線香１１を立てたまま支持する。
【００２７】
ここで、本実施形態に係る板状の線香１１は、厚みが２〜４ｍｍで、５０度未満の頂角で高さが４０ｍｍ程度の略二等辺三角形の底辺部（下部２１）が略半円状となった涙型（ティアードロップ形状）に形成されている。板状の線香１１は、この下部２１が下側となって、支持部（縦リブ１９）により立て掛けられた状態で支持される。線香支持具１００に支持された線香１１は、頂角に着火されて頂角側から下部２１へ向かって燃焼が進む。
【００２８】
本第１実施形態に係る線香支持具１００は、底壁２３の周囲に側壁２５が起立して形成される。線香支持具１００は、平面視した側壁２５の輪郭が長円形となる。ここで、線香支持具１００は、図１のＡ−Ａ面に沿う水平方向を長軸方向、Ｂ−Ｂ面に沿う水平方向を短軸方向とする。線香支持具１００は、上部開口部２７に向かって拡開するように、側面が上方に向かって外側に傾斜している。
【００２９】
底壁２３には、線香１１の下部２１が挿入される凹部２９が形成される。凹部２９は、凹部内壁３１及び凹部底壁３３により形成される。
【００３０】
図３に示すように、線香支持具１００は、支持部である縦リブ１９以外の線香１１との間には、所定の開口面積を有する空隙３５が形成される。
図４に示すように、線香支持具１００では、この凹部２９が、底壁２３の中央に形成されている。
【００３１】
本第１実施形態において、凹部２９は、中央の円形凹部３７と、この円形凹部３７を短軸方向で挟む一対の半円凹部３９とからなる。従って、凹部２９は、対称形状の一対の凹部内壁３１が波形となって長軸方向に対向している。円形凹部３７と半円凹部３９との接続部は、波形の頂部同士が近接した一対の縦リブ１９となる。一対の縦リブ１９は、短軸方向に所定間隔（例えば、１５ｍｍ以上が望ましい）で、二対設けられる。対向する一対の縦リブ１９は、上方に向けて相互が離間するように傾斜する。板状の線香１１は、この対向する縦リブ１９の間に、板厚方向で挿入される。従って、線香１１は、下部２１の幅方向が、二対の縦リブ１９の間に挿入される。
【００３２】
本第１実施形態において、これら縦リブ１９は、線香１１における背面１３の２箇所と、表面１５の２箇所とを支持する支持部を構成する。長軸方向に対向する縦リブ１９の間は、線香挿入間隙となる。線香１１は、下部２１が、一対の線香挿入間隙に挿入されて支持される。
【００３３】
図４に示すように、凹部底壁３３には、長軸方向に延在する支持部である横リブ４１が形成される。横リブ４１は、突出上端が、幅が極狭い線状の稜線となる。一対の線香挿入間隙に挿入された線香１１は、この横リブ４１に下部２１の底面下端縁１７が載置される。本実施形態において、この横リブ４１は、線香１１における底面下端縁１７の１箇所を支持する支持部を構成する。
【００３４】
線香１１を線香支持具１００により支持する際には、線香１１の下部２１が凹部２９に挿入される。凹部２９に挿入された下部２１は、図２に示すように、背面側（図２の右側）の底面下端縁１７が横リブ４１に載置される。また、線香１１は、表面側（図２の左側）の底面下端縁１７が短軸方向に所定間隔を有する一対の表面側の縦リブ１９に当たる。一方、線香１１は、背面１３が、短軸方向に所定間隔を有する一対の背面側の縦リブ１９に当たる。線香１１には、背面側の縦リブ１９が、表面側の縦リブ１９よりも高い位置で当たる。これにより、線香１１は、表面側２箇所、底面下端縁１箇所、背面側２箇所の縦リブ１９及び横リブ４１により、背面側に傾斜して支持される。
【００３５】
なお、線香支持具１００は、線香１１の傾斜を鉛直に近づければ、一対の表面側の縦リブ１９に接触させずに支持することが可能となる。また、線香支持具１００は、線香１１の傾斜を水平に近づければ、底面下端縁１７を横リブ４１に接触させずに支持することが可能となる。
【００３６】
次に、上記した第１実施形態に係る線香支持具１００の作用を説明する。
本第１実施形態に係る線香支持具１００によれば、板状の線香１１が、背面１３の２箇所と、表面１５の２箇所と、底面下端縁１７の１箇所とを支持する縦リブ１９及び横リブ４１により、立てたまま支持される。線香１１は、立て掛けた状態で、上端から下端に向かって燃焼する。板状の線香１１は、全高に対して、極めて低い部位が、背面１３の２箇所と、表面１５の２箇所および底面下端縁１７の１箇所との５箇所で支持される。板状の線香１１は、低い部位を除く全高の殆どが他部材に接触せずに起立する。このため、板状の線香１１は、他部材への熱伝導により熱が奪われることが抑制され、立ち消えせずに燃焼する。
【００３７】
殆どが燃焼した板状の線香１１は、低い部位が最低３箇所（本第１実施形態では、５箇所）で支持される。この５箇所は、点接触若しくは線接触となり、立ち消えの生じない熱量となるように、他部材への熱伝導を抑制する。その結果、線香支持具１００は、板状の線香１１を、立ち消えさせずに全て燃焼させることができる。
【００３８】
また、本第１実施形態に係る線香支持具１００は、板状の線香１１を立てて支持する支持部が、点接触若しくは線接触の５箇所でよいため、構造を設計する上での制約を少なくできる。そのため、線香支持具１００は、扱いやすさや見栄えのよさを備えたデザインへの設計自由度を高くすることができる。
【００３９】
なお、線香支持具１００における縦リブ１９及び横リブ４１は、板状の線香１１を例えば後方に傾けて支持する。そのため、上部の燃えかすが、未燃焼の低い部位に多量に落下して接触し、空気の流通を塞ぐことがない。
【００４０】
また、本第１実施形態に係る線香支持具１００では、板状の線香１１は、縦リブ１９及び横リブ４１が接触する部位以外の周囲が、所定の開口面積を有する空隙３５により包囲される。その結果、線香支持具１００は、板状の線香１１の燃焼部分に対し、良好な燃焼に必要な空気量の供給が可能となる。換言すれば、所定の開口面積の空隙３５とは、燃焼部分に対して良好な燃焼に必要な空気量が供給できる通気路の断面積を有した隙間である。従って、所定の開口面積の空隙３５は、良好な燃焼に必要な空気量の供給を阻害する大きさでは形成されないことが望ましい。
【００４１】
更に、本第１実施形態に係る線香支持具１００では、板状の線香１１の下部２１（低い部位）が、底壁２３に形成された凹部２９により支持される。線香支持具１００は、複数の凹凸で形成される縦リブ１９及び横リブ４１が、凹部２９に集約されることにより、スッキリとした見栄えのよい外観に形成が可能となる。
【００４２】
また、本第１実施形態に係る線香支持具１００では、凹部２９が、中央に位置することにより、線香支持具１００の前向き、後向きをなくし（前後使いが共用となり）、使い勝手をよくすることができる。
【００４３】
［第２実施形態］
次に、本発明の第２実施形態を説明する。
図５の（ａ）は本発明の第２実施形態に係る線香支持具２００の一部分を切り欠いた斜視図、（ｂ）は図５の（ａ）に図示した線香支持具２００が板状の線香１１を支持した状態の斜視図、図６は図５に図示した線香支持具２００の平面図である。なお、本第２実施形態においては、上記第１実施形態で示した構成と同一の構成に同一の符号を付し重複する説明は省略する。
本第２実施形態に係る線香支持具２００は、凹部４３が、底壁２３の中央に対して偏芯して形成されている。
【００４４】
凹部４３は、中央の方形凹部４５と、この方形凹部４５を短軸方向で挟む一対の矩形凹部４７とからなる。方形凹部４５と矩形凹部４７との接続部は、近接した一対の縦リブ１９となる。一対の縦リブ１９は、短軸方向に所定間隔で、二対設けられる。対向する一対の縦リブ１９は、上方に向けて相互が離間するように傾斜する。板状の線香１１は、この対向する縦リブ１９の間に、板厚方向で挿入される。従って、線香１１は、図５の（ｂ）に示すように、下部２１の幅方向が、二対の縦リブ１９の間に挿入される。
【００４５】
線香１１を線香支持具２００により支持する際には、線香１１の下部２１が凹部４３に挿入される。凹部４３に挿入された下部２１は、背面側の底面下端縁１７が凹部底壁３３に載置される。また、線香１１は、表面側（図５の左側）の底面下端縁１７が短軸方向に所定間隔を有する一対の表面側の縦リブ１９に当たる。一方、線香１１は、背面１３が、短軸方向に所定間隔を有する一対の背面側の縦リブ１９に当たる。線香１１には、背面側の縦リブ１９が、表面側の縦リブ１９よりも高い位置で当たる。これにより、線香１１は、表面側２箇所、底面下端縁１箇所、背面側２箇所の縦リブ１９及び凹部底壁３３により、背面側に傾斜して支持される。
【００４６】
なお、線香支持具２００は、線香１１の傾斜を鉛直に近づければ、一対の表面側の縦リブ１９と接触させずに支持することが可能となる。また、線香支持具２００は、線香１１の傾斜を水平に近づければ、底面下端縁１７を凹部底壁３３に接触させずに支持することが可能となる。
【００４７】
次に、上記した第２実施形態に係る線香支持具２００の作用を説明する。
本第２実施形態に係る線香支持具２００によれば、凹部４３が、底壁２３の中央に対して偏芯して設けられることにより、底壁２３において片寄せられて配置される。そこで、線香支持具２００は、凹部４３を設けられた反対側の底壁２３を、線香１１の燃焼によって発生した灰の落下面とすることができる。これにより、線香支持具２００は、底壁２３の面積が小さい場合であっても、灰を効率よく底壁２３に収容でき、灰を周囲にこぼすことがない。
【００４８】
［第３実施形態］
次に、本発明の第３実施形態を説明する。
図７の（ａ）は本発明の第３実施形態に係る線香支持具３００が板所の線香１１を支持した状態の斜視図、図７の（ｂ）は図７の（ａ）に図示した線香支持具３００の平面図、（ｃ）は（ｂ）に図示した線香支持具３００が板状の線香１１を支持した状態を示すＣ−Ｃ断面図である。なお、本第３実施形態においては、上記第１実施形態で示した構成と同一の構成に同一の符号を付し重複する説明は省略する。
本第３実施形態に係る線香支持具３００は、板状の線香１１における背面側の底面下端縁１７および背面１３の少なくとも何れか２箇所と、表面側の底面下端縁１７および表面１５の少なくとも何れか１箇所とを支持する支持部である二対の挟持面２０を有して、線香１１を立てたまま支持する。
【００４９】
本第３実施形態に係る線香支持具３００は、凹部５１が、長軸方向に長く、短軸方向に短い菱形形状に形成される。凹部５１は、菱形形状の短軸方向に、矩形凹部５３が重ねて形成される。矩形凹部５３は、菱形形状の短軸方向よりも長く形成される。そこで、矩形凹部５３は、菱形形状から突出した部分が、拡幅部５５となる。この拡幅部５５における凹部５１の長軸方向に対向すると共に上方に向けて相互が離間するように傾斜する一対の斜面が、断面Ｖ字状の挟持溝を構成して支持部である一対の挟持面２０となる。従って、凹部５１の短軸方向に設けられている一対の拡幅部５５には、長軸方向に対向する一対の挟持面２０により構成された挟持溝がそれぞれ設けられている。
【００５０】
線香１１を線香支持具３００により支持する際には、線香１１の下部２１が凹部５１に挿入される。凹部５１に挿入された下部２１の両端部は、図７の（ａ）に示すように、短軸方向に所定間隔を有する二対の挟持面２０により形成された断面Ｖ字状の挟持溝にそれぞれ挿入される。すると、線香１１は、図７の（ｃ）に示すように、表面側の底面下端縁１７が短軸方向に所定間隔を有する一対の表面側の挟持面２０に当たり、背面側の底面下端縁１７が短軸方向に所定間隔を有する一対の背面側の挟持面２０に当たる。これにより、線香１１は、表面側２箇所および背面側２箇所の挟持面２０によって下部２１の両端部が挟み込まれ、直立して支持される。
【００５１】
次に、上記した第３実施形態に係る線香支持具３００の作用を説明する。
本第３実施形態に係る線香支持具３００によれば、板状の線香１１は、一対の背面側の挟持面２０により支持される背面側の底面下端縁１７の２箇所と一対の表面側の挟持面２０により支持される表面側の底面下端縁１７の２箇所とで挟持される部分が、下部２１の両端部となる。つまり、一対の背面側の挟持面２０と一対の表面側の挟持面２０とは、背面側の底面下端縁１７の２箇所と表面側の底面下端縁１７の２箇所とを、板状の線香１１における幅方向の最大長で支持できる。これにより、二対の挟持面２０は、上部が未燃焼の高背の板状の線香１１を、低い部位の挟持のみで安定して支持できる。
【００５２】
なお、凹部５１の凹部底壁３３には、長軸方向に延在する横リブ４１が形成される。横リブ４１は、突出上端が、幅が極狭い線状の稜線となる。万一、一対の拡幅部５５に挿入された線香１１の下部２１が凹部底壁３３に接触しそうになっても、下部２１の底面下端縁１７がこの横リブ４１に当接することで、凹部底壁３３との接触は阻止される。
【００５３】
［第４実施形態］
次に、本発明の第４実施形態を説明する。
図８の（ａ）は本発明の第４実施形態に係る線香支持具４００が板所の線香１１を支持した状態の斜視図、図８の（ｂ）は図８の（ａ）に図示した線香支持具４００の斜視図、図９の（ａ）は図８に示した線香支持具４００の平面図、図９の（ｂ）は図９の（ａ）に図示した線香支持具４００のＤ−Ｄ断面図、図９の（ｃ）は図９の（ａ）に図示した線香支持具４００の正面図である。なお、本第４実施形態においては、上記第１実施形態で示した構成と同一の構成に同一の符号を付し重複する説明は省略する。
本第４実施形態に係る線香支持具４００は、凹部内壁３１に、外部から凹部５９に空気を取り込む穴５７が形成される。
【００５４】
本第４実施形態に係る線香支持具４００は、図８及び図９に示すように、凹部５９が、矩形状部６１と半円形状部６３とを長軸方向で接続した前方後円形状に形成される。矩形状部６１は、半円形状部６３の短軸方向よりも長く形成される。そこで、矩形状部６１は、半円形状部６３から突出した部分が、拡幅部５５となる。この拡幅部５５と半円形状部６３との接続部は、縦リブ１９となる。従って、凹部５９には、短軸方向に一対の拡幅部５５が設けられている。
【００５５】
また、凹部５９の凹部底壁３３には、長軸方向に延在する横リブ４１が形成される。横リブ４１は、突出上端が、幅が極狭い線状の稜線となる。一対の拡幅部５５に挿入された線香１１は、この横リブ４１に下部２１の底面下端縁１７が載置される。
【００５６】
また、横リブ４１の長軸方向一端側（線香１１の表面側）には、支持凸部６５が凹部底壁３３から突出して形成される。支持凸部６５は、横リブ４１に載置された線香１１における表面側の底面下端縁１７に当接する支持部である。
【００５７】
更に、線香支持具４００は、凹部内壁３１であるそれぞれの拡幅部５５の下端部分に、穴５７が穿設されている。この穴５７は、外部から凹部５９に空気を取り込む。
【００５８】
線香１１を線香支持具４００により支持する際には、線香１１の下部２１が凹部５９の拡幅部５５に挿入される。拡幅部５５に挿入された下部２１は、図８の（ａ）に示すように、背面側の底面下端縁１７が横リブ４１に載置される。また、線香１１は、表面側の底面下端縁１７が支持凸部６５に当たる。一方、線香１１は、背面１３の両縁部が、短軸方向に所定間隔を有する一対の背面側の縦リブ１９に当たる。線香１１は、背面側の縦リブ１９が、表面側の支持凸部６５よりも高い位置で当たる。これにより、線香１１は、表面側１箇所、底面下端縁１箇所、背面側２箇所の支持凸部６５、横リブ４１及び縦リブ１９により、背面側に傾斜して支持される。
【００５９】
次に、上記した第４実施形態に係る線香支持具４００の作用を説明する。
本第４実施形態に係る線香支持具４００によれば、板状の線香１１が底壁２３よりも窪んだ凹部５９で支持される構造であっても、凹部内壁３１を貫通した穴５７により、凹部内に外部からの空気を燃焼部分よりも下側から流入させることができる。これにより、線香１１は、十分な空気量が低い部位へも供給され、立ち消えせずにより確実に燃焼する。
【００６０】
［第５実施形態］
次に、本発明の第５実施形態を説明する。
図１０の（ａ）は本発明の第５実施形態に係る線香支持具５００が板状の線香１１を支持した状態の斜視図、図１０の（ｂ）は図１０の（ａ）に図示した線香支持具５００をＥ−Ｅ面で切り欠いた斜視図、図１１は図１０に図示した線香支持具５００の平面図である。なお、本第５実施形態においては、上記第１実施形態で示した構成と同一の構成に同一の符号を付し重複する説明は省略する。
本第５実施形態に係る線香支持具５００は、凹部６７が、矩形状部６９と三角形状部７１とを長軸方向で接続した形状に形成される。矩形状部６９は、三角形状部７１の底辺部分よりも長く形成される。矩形状部６９は、三角形状部７１から突出した部分が、拡幅部５５となる。この拡幅部５５と三角形状部７１との接続部は、縦リブ１９となる。従って、凹部６７には、短軸方向に一対の拡幅部５５が設けられている。
【００６１】
また、凹部６７の凹部底壁３３には、長軸方向に延在する横リブ４１が形成される。横リブ４１は、突出上端が、幅が極狭い線状の稜線となる。一対の拡幅部５５に挿入された線香１１は、この横リブ４１に下部２１の底面下端縁１７が載置される。
【００６２】
また、横リブ４１の長軸方向一端側（線香１１の表面側）には、支持凸部６５が凹部底壁３３から突出して形成される。支持凸部６５は、横リブ４１に載置された線香１１における表面側の底面下端縁１７に当接する支持部である。
【００６３】
線香１１を線香支持具５００により支持する際には、線香１１の下部２１が凹部６７の拡幅部５５に挿入される。拡幅部５５に挿入された下部２１は、図１０の（ａ）に示すように、背面側の底面下端縁１７が横リブ４１に載置される。また、線香１１は、表面側の底面下端縁１７が支持凸部６５に当たる。一方、線香１１は、背面１３が、短軸方向に所定間隔を有する一対の背面側の縦リブ１９に当たる。線香１１は、背面側の縦リブ１９が、表面側の支持凸部６５よりも高い位置で当たる。これにより、線香１１は、表面側１箇所、底面下端縁１箇所、背面側２箇所の支持凸部６５、横リブ４１及び縦リブ１９により、背面側に傾斜して支持される。
【００６４】
次に、上記した第５実施形態に係る線香支持具５００の作用を説明する。
本第５実施形態に係る線香支持具５００によれば、線香１１の燃焼により発生した灰を、凹部６７に収容することができる。
【００６５】
［第６実施形態］
次に、本発明の第６実施形態を説明する。
図１２は本発明の第６実施形態に係る線香支持具６００の斜視図、図１３の（ａ）は図１２に図示した線香支持具６００が板状の線香１１を支持した状態の平面図、図１３の（ｂ）は図１３の（ａ）の正面図、図１３の（ｃ）は図１３の（ｂ）の側面図である。なお、本第６実施形態においては、上記第１実施形態で示した構成と同一の構成に同一の符号を付し重複する説明は省略する。
本第６実施形態に係る線香支持具６００は、図１２に示すように、前脚７３と後脚７５の間に底面下端縁１７を支持する支持部（谷折部７７）が形成されて側面視略Ｍ字形状となる支持具本体７９と、谷折部７７に接続する後部山折部８１の前側傾斜面８３における両側に離間して形成された一対の支持部であるリブ８５とを備える。
【００６６】
線香１１を線香支持具６００により支持する際には、図１３に示すように、線香１１の下部２１が谷折部７７に挿入される。谷折部７７に挿入された下部２１は、表面側の底面下端縁１７が前部山折部８７の後側傾斜面８９に当接して載置される。一方、線香１１は、背面１３の両縁部が、後部山折部８１の前側傾斜面８３に設けられた左右一対のリブ８５に当たる。これにより、線香１１は、底面下端縁１箇所、背面側２箇所の後側傾斜面８９及びリブ８５により、背面側に傾斜して支持される。
【００６７】
次に、上記した第６実施形態に係る線香支持具６００の作用を説明する。
本第６実施形態に係る線香支持具６００によれば、支持具本体７９が、側面視略Ｍ字形状で形成される。側面視略Ｍ字形状の支持具本体７９は、前脚７３と後脚７５との間に、前部山折部８７と後部山折部８１とに挟まれて谷折部７７が形成される。後部山折部８１は、前部山折部８７よりも高い。従って、板状の線香１１は、底面下端縁１７が谷折部７７を形成する前部山折部８７に支持され、背面１３の両縁部が後部山折部８１の前側傾斜面８３に突設された一対（２箇所）のリブ８５に支持されて、立て掛けられる。
【００６８】
本第６実施形態に係る線香支持具６００は、上述した第１〜第５実施形態に係る皿形状の線香支持具１００〜５００とは異なる斬新なデザインとして、見栄えをよくできる。また、本第６実施形態の線香支持具６００は、形状が簡素であるので、製造が容易となる。また、小型、軽量にできる。更に、陶器或いは金属を用いても容易に製造できるので、材質の選択自由度を高めることができる。
【００６９】
なお、本第６実施形態の線香支持具６００は、落下する灰を受けるためのトレイ９１や浅底の皿を併用してもよい。灰の落下が問題にならない場所（屋外等）では、この線香支持具６００のみを単独で使用することができる。
【００７０】
［第７実施形態］
次に、本発明の第７実施形態を説明する。
図１４の（ａ）は本発明の第７実施形態に係る線香支持具７００が板状の線香１１を支持した状態の斜視図、図１４の（ｂ）は図１４の（ａ）に図示した線香支持具７００の斜視図である。図１５の（ａ）は図１４の（ｂ）に図示した線香支持具７００の平面図、図１５の（ｂ）は図１４の（ａ）のＥ−Ｅ断面図である。なお、本第７実施形態においては、上記第１実施形態で示した構成と同一の構成に同一の符号を付し重複する説明は省略する。
本第７実施形態に係る線香支持具７００は、板状の線香１１における背面１３の２箇所及び表面１５の２箇所を少なくとも支持する支持部である二対の支持面９５を有して、線香１１を略直立して支持する。また、線香１１は、表面側及び裏面側の底面下端縁１７が一対の支持凸部６５にそれぞれ当たる。
【００７１】
本第７実施形態に係る線香支持具７００では、図１４及び図１５に示すように、凹部９２が、底壁２３の中央に形成されている。凹部９２は、六角形の中心を通る一本の対角線が短軸方向（図１５の上下方向）に延びる六角形状に形成される。更に、凹部９２は、短軸方向に延びる対角線方向に、矩形凹部９３が重ねて形成される。矩形凹部９３は、六形の中心を通る対角線よりも長く形成される。そこで、矩形凹部９３は、六角形状から突出した部分が、拡幅部５５となる。この拡幅部５５における凹部９２の長軸方向（図１５の左右方向）に対向すると共に上方に向けて相互が離間するように傾斜する一対の斜面が、近接した一対の支持面９５となる。一対の支持面９５は、短軸方向に所定間隔で、二対設けられる。
【００７２】
板状の線香１１は、この対向する支持面９５の間に、板厚方向で挿入される。従って、線香１１は、図１４の（ａ）に示すように、下部２１の幅方向が、二対の支持面９５の間に挿入される。拡幅部５５に挿入された線香１１の下部２１は、図１５の（ｂ）に示すように、背面１３の両縁部が、短軸方向に所定間隔を有する一対の背面側の支持面９５に当たり、表面１５の両縁部が、短軸方向に所定間隔を有する一対の背面側の支持面９５に当たる。
また、凹部９２の長軸方向両端側には、一対の支持凸部６５が凹部底壁３３から突出して形成される。一対の支持凸部６５は、二対の支持面９５の間に挿入された線香１１における表面側及び裏面側の底面下端縁１７に当接する支持部である。
【００７３】
線香１１を線香支持具７００により支持する際には、線香１１の下部２１が凹部９２の拡幅部５５に挿入される。拡幅部５５に挿入された下部２１は、図１５の（ｂ）に示すように、表面１５の両縁部が短軸方向に所定間隔を有する一対の表面側の支持面９５に当たり、背面１３の両縁部が短軸方向に所定間隔を有する一対の背面側の支持面９５に当たる。更に、線香１１は、表面側及び裏面側の底面下端縁１７が一対の支持凸部６５にそれぞれ当たる。これにより、線香１１は、表面側２箇所の支持面９５及び背面側２箇所の支持面９５と、表面側の支持凸部６５及び裏面側の支持凸部６５とにより、略直立して支持される。
【００７４】
次に、上記した第７実施形態に係る線香支持具７００の作用を説明する。
本第７実施形態に係る線香支持具７００では、板状の線香１１は、支持面９５及び支持凸部６５が接触する部位以外の周囲が、所定の開口面積を有する空隙３５により包囲される。その結果、線香支持具１００は、板状の線香１１の燃焼部分に対し、良好な燃焼に必要な空気量の供給が可能となる。
また、本第７実施形態に係る線香支持具７００では、凹部９２が、中央に位置することにより、線香支持具７００の前向き、後向きをなくし（前後使いが共用となり）、使い勝手をよくすることができる。
【００７５】
従って、上述した第１〜第７実施形態に係る線香支持具１００、２００、３００、４００、５００、６００、７００によれば、板状の線香１１の燃焼に好適に用いることができる。
【００７６】
なお、本発明は、上述した各実施形態に限定されるものではなく、適宜、変形、改良、等が可能である。その他、上述した各実施形態における各構成要素の材質、形状、寸法、数、配置箇所、等は本発明を達成できるものであれば任意であり、限定されない。
例えば、底壁２３に形成されて線香１１の下部２１が挿入される凹部の形状は、第１〜第７実施形態における凹部の形状に限らず、本発明の趣旨に基づいて種々の形状を採り得ることは云うまでもない。
【符号の説明】
【００７７】
１１…線香
１３…背面
１５…表面
１７…底面下端縁
１９…縦リブ（支持部）
２０…挟持面（支持部）
２１…下部
２３…底壁
２５…側壁
２９…凹部
３１…凹部内壁
３３…凹部底壁
３５…空隙
４１…横リブ（支持部）
１００…線香支持具
【図１】
2019103786.tif 000003
【図２】
2019103786.tif 000004
【図３】
2019103786.tif 000005
【図４】
2019103786.tif 000006
【図５】
2019103786.tif 000007
【図６】
2019103786.tif 000008
【図７】
2019103786.tif 000009
【図８】
2019103786.tif 000010
【図９】
2019103786.tif 000011
【図１０】
2019103786.tif 000012
【図１１】
2019103786.tif 000013
【図１２】
2019103786.tif 000014
【図１３】
2019103786.tif 000015
【図１４】
2019103786.tif 000016
【図１５】
2019103786.tif 000017